(57)【要約】  一群のボトルを収容するためのカートンは、一対の相補的なＵ字形構造体(１０,２０)を組み合わせることによって形成される。一方のＵ字形構造体(１８)は、底面パネル(２４)と、対向する端壁(１６,１８)とを具備してなる。もう一方のＵ字形構造体(２０)は、上面パネル(２２)と、対向する側壁(１２,１４)とを具備してなる。
2008505809.tif 000002
【特許請求の範囲】
【請求項１】
たとえばボトルのような、一群の類似の物品を収容するためのカートンであって、このカートンは、上面パネルと、底面パネルと、互いに向き合う側壁と、互いに向き合う端壁と、を具備してなり、カートンは、一対の対向する相補的Ｕ字形構造体を組み合わせることによって形成され、前記Ｕ字形構造体の一方は、底面パネルと、互いに向き合う端壁と、を具備してなり、かつ前記Ｕ字形構造体の他方は、上面パネルと、互いに向き合う側壁と、を具備してなることを特徴とするカートン。
【請求項２】
前記上面パネルは、カートンの両端壁および／またはカートンの両側壁の上側端部よりも下方の高さに配置されていることを特徴とする請求項１に記載のカートン。
【請求項３】
一方のＵ字形構造体はフラップを具備してなり、このフラップは、他方のＵ字形構造体の前記側壁に対してサポートを提供すると共に、付加的に、それに対して他方のＵ字形構造体の前記側壁を固定することができる面を提供するようになっていることを特徴とする請求項１または請求項２に記載のカートン。
【請求項４】
カートンの前記上面パネルは、前記物品またはその一部分を受け容れるための開口部を具備してなり、各開口部は、前記物品の取り出しを容易にするために、少なくとも一つの他の開口部とつながった破断可能な接合部を有することを特徴とする請求項１ないし請求項３のいずれか１項に記載のカートン。
【請求項５】
カートンの前記側壁および端壁の一方から打ち抜き形成された、少なくとも一つの補強されたハンドル開口部をさらに具備してなることを特徴とする請求項１ないし請求項４のいずれか１項に記載のカートン。
【請求項６】
前記破断可能な接合部は、前記物品の取り出し時に、カートンが空の物品の返却に再使用するのに十分な構造的完全性を維持するよう配置構成されていることを特徴とする請求項４に記載のカートン。
【請求項７】
たとえばボトルのような、一群の類似の物品を収容するカートンを形成するための二部分ブランクであって、
このブランクは、第１の部分と第２の部分とを具備してなり、
前記第１の部分は、第１のＵ字形構造体を形成するよう、底面パネルと、互いに向き合う端壁とを具備してなり、
前記第２の部分は、前記第１のＵ字形構造体に対して相補的な第２のＵ字形構造体を形成するよう、上面パネルと、互いに向き合う側壁とを具備してなり、
前記第１および第２のＵ字形構造体は、前記カートンが組み上がった状態にあるとき、互いに向き合う関係で配置されるようになっていることを特徴とする二部分ブランク。
【請求項８】
前記第１の部分はフラップを具備してなり、前記フラップは、前記第２の部分の前記側壁に対するサポートを提供すると共に、付加的に、それに対して前記第２の部分の前記側壁を固定できる面を提供するようになっていることを特徴とする請求項７に記載のブランク。
【請求項９】
前記第２の部分の前記上面パネルは、前記カートンが組み上がった状態にあるとき、前記第１の部分の前記端壁の上側端部よりも下方の高さに存在することを特徴とする請求項７または請求項８に記載のブランク。
【請求項１０】
前記第２の部分の前記上面パネルは、前記物品またはその一部分を受け容れるための開口部を具備してなり、各開口部は、前記物品の取り出しを容易にするために、少なくとも一つの他の開口部とつながった破断可能な接合部を有することを特徴とする請求項７ないし請求項９のいずれか１項に記載のブランク。
【請求項１１】
請求項１ないし請求項６のいずれか１項に記載のカートンを形成するためのブランク。
【請求項１２】
互いに向き合う側壁と、互いに向き合う端壁と、上面パネルと、底面パネルと、を具備してなるカートンであって、前記上面パネルの面は、両端壁の上側縁部よりも低い位置にあり、かつカートンはさらに、前記端壁から打ち抜き形成されたハンドル開口部を具備してなることを特徴とするカートン。
【発明の詳細な説明】
【技術分野】
【０００１】
本発明は、複数の類似の物品、たとえばボトルを収容するためのカートン、ならびにカートン内でボトルを保持するための手段および特に物品にアクセスするための(物品を取り出すための)手段に関する。
【背景技術】
【０００２】
複数の物品を包装するためのカートンは、消費者が所望の数量の個々の物品、たとえばソフトドリンクあるいはその他の飲料を購入し、運搬することを可能とするため有用である。そうしたカートンは、特に物品がボトルである場合に、複数の物品を支持するのに十分なほど丈夫なものでなければならない。また、そうしたカートンは、取り扱いが容易でありかつ運搬可能であることが望まれる。
【０００３】
カートン内に収容された物品をディスプレイすることや、そしてまた広告図柄を印刷可能な大きな領域をカートンに付与することが望ましいことがしばしばある。また、物品を容易に手に取ることができることが望ましいことがしばしばあり、そして特に物品が、たとえばガラスボトルのような壊れやすいものである場合には、物品をカートン内の適所で固定することがまた好ましい。だが、たとえば購入前に、過度に容易に物品が取り出されるのは望ましくない。
【０００４】
さらに、物品の中味を消費してしまった後、空になった物品をリサイクル場所へ戻すのに利用可能なカートンを提供することが望まれている。
【発明の開示】
【発明が解決しようとする課題】
【０００５】
本発明の目的は、物品を取り出すためのアクセス手段と協働で、物品をあるいは物品の一部をディスプレイするための手段を提供することであって、ここでアクセス手段は、カートンを、リサイクル場所への返却のため物品を再配置するのに十分なほど完全な状態としておけるようなものである。
【課題を解決するための手段】
【０００６】
本発明の第１の様態によれば、カートンは、たとえばボトルのような、一群の類似の物品を収容するためのものであって、このカートンは、上面パネルと、底面パネルと、互いに向き合う側壁と、互いに向き合う端壁とを具備してなり、カートンは対向する相補的Ｕ字形構造体を組み合わせることによって形成され、Ｕ字形構造体の一方は、底面パネルと互いに向き合う端壁とを具備してなり、かつＵ字形構造体の他方は、上面パネルと互いに向き合う側壁とを具備してなる。
【０００７】
好ましくは、上面パネルは、端壁および／または互いに対向する側壁の上側端部の高さよりも低い高さに存在する。
【０００８】
加えて、Ｕ字形構造体の一方はフラップを具備してなり、このフラップはカートンの側壁に対するサポートを、そして付加的に、それに対して側壁を固定可能な面を提供する。
【０００９】
好ましくは、上面パネルは物品またはその一部分を受け容れるための(位置させるための)開口部(孔)を具備してなり、ここで、各開口部は、物品の取り出しを容易にするために、少なくとも一つの他の開口部とつながった破断可能な接合部を有する。本カートンはさらに、上記の対向する壁の一方から打ち抜き形成された、少なくとも一つの補強されたハンドル開口部を具備してなることができる。
【００１０】
好ましくは、物品の取り出し時、本カートンは、それを空になった物品の返却に再利用できるよう十分な構造的完全性(構造的に損傷を受けていない状態)を維持する。
【００１１】
本発明の第２の態様によれば、二部分ブランクは、底面パネルおよび互いに対向する端壁を具備してなる第１の部分と、上面パネルおよび互いに対向する側壁とを具備してなる第２の部分とからなり、カートンが組み上がった状態にあるとき、向き合う相補的Ｕ字形構造体を形成するようになっている。
【００１２】
好ましくは、上記ブランクの第１の部分は、カートンの側壁に対するサポートと、付加的に、それに対して上記側壁を固定可能な面とを提供するフラップを具備してなる。
【００１３】
好ましくは、上面パネルは、端壁パネルの上側端部の高さよりも低い高さに存在する。
【００１４】
その上、上面パネルは、物品またはその一部分を受け容れるための開口部を具備してなり、各開口部は、物品の取り出しを容易にするため、少なくとも一つの他の開口部とつながった破断可能な接合部を有する。
【００１５】
本発明の第３の態様によれば、カートンを形成するための一体のブランクは、互いに対向する側壁、互いに対向する端壁、上面パネルおよび底面パネルを具備してなり、組み立てられたカートンにおける上面パネルの面は、互いに対向する端壁の上側縁部よりも低い位置にあり、しかもそれは上記端壁から打ち抜き形成されたハンドル開口部を、さらに具備してなる。
【発明を実施するための最良の形態】
【００１６】
ここで、本発明の代表的実施形態について、図面を参照し、実例として説明する。
【００１７】
本発明の第１実施形態を図１Ａ〜図１Ｆに示す。図１Ａおよび図１Ｂには、板紙あるいは類似の折り曲げ可能なシート素材からなる、枠箱型(crate style)カートン３０を形成するための二部分ブランク(two-part blank)の、第１の部分および第２の部分をそれぞれ示す。本発明の第１実施形態において、図１および図２の二つのブランク１０および２０は、それぞれトレイおよびカバーとなる。このトレイとカバーは協同で、図１Ｆに示す枠箱型カートン３０を形成する。本発明は、たとえばボトルのような類似の物品を収容する構造とされているが、本発明の範囲から逸脱することなく、他の物品を収容するのに本発明を利用できることも明白である。
【００１８】
図１Ａを見ると、トレイブランクは、第１の端壁１６と、底面パネル２４と、第２の端壁１８とを具備してなり、これらは、それぞれ折り曲げ線４４および４８に沿って、あるものが次のものにつながるよう一列に折り曲げ可能に連結されている。ハンドル開口部５４が第１および第２の端壁１６,１８から打ち抜き形成されており、しかも指用把持タブ５８がハンドル開口部５４の上側縁部から内側に突出している。指用把持タブは、組み立てられた枠箱型カートン３０を、ハンドル開口部５４を用いて容易に把持しかつ持ち上げることを可能にする。
【００１９】
トレイブランク１０は、さらに、第１および第２の端壁１６および１８のそれぞれに折り曲げ可能に連結されたコーナーフラップ６６ａ／６６ｂおよび６８ａ／６８ｂを具備してなる。本発明のこの実施形態では、コーナーフラップ６６ａ／６６ｂおよび６８ａ／６８ｂは、カートン内に収容されたボトルのいくつかを付加的に保護する。本発明の他の実施形態では、枠箱型カートン内に包含することが可能な別なタイプの物品を収容するべく、枠箱型カートンに特殊な形状を付与するために、使用されるコーナーフラップの数を増減させることができることは明白である。
【００２０】
本発明のこの実施形態においては、コーナーフラップ６６ａ／６６ｂおよび６８ａ／６８ｂは、図１Ａに示すように、それぞれ折り曲げ線８６ａ／８６ｂおよび８８ａ／８８ｂに沿って、側方フラップ７６ａ／７６ｂおよび７８ａ／７８ｂに対して折り曲げ可能に連結されている。側方フラップ７６ａ／７６ｂおよび７８ａ／７８ｂは、枠箱型カートン３０の組み立てに当って、ブランク１０から形成されたトレイを、ブランク２０から形成されたカバーに対して固定するための手段を提供する。
【００２１】
本発明のこの実施形態においては、トレイブランク１０はさらに、折り曲げ線６４ａおよび６４ｂに沿って、底面パネル２４に対して折り曲げ可能に連結された底側端部フラップ７４ａおよび７４ｂを具備してなる。この底側端部フラップ７４ａ,７４ｂは、上記トレイおよびカバーを一つに固定するための付加的手段を提供する。
【００２２】
トレイブランク１０はまた、折り曲げ線４０および４２を中心として第１および第２の端壁１６,１８に折り曲げ可能に連結された内部ハンドルパネル２６を具備してなる。この内部ハンドルパネル２６は指用把持タブ５８を具備しており、しかも内部ハンドルパネル２６は、それを折り曲げ線４０および４２を中心として１８０°だけ折り曲げたとき、２重の補強されたハンドル構造体が形成されるような形状となっている。
【００２３】
本発明のこの実施形態においては、内部ハンドルパネル２６は付加的に接着用フラップ７０ａ／７０ｂおよび７２ａ／７２ｂを備えるが、これらフラップは、コーナーパネル６６ａ／６６ｂおよび６８ａ／６８ｂの内面に対して、それぞれ固定可能である。このようにして、枠箱型カートン３０のコーナー部分で保持された物品を、さらに安全に保護できるようになる。本発明の他の実施形態においては、接着用フラップ７０ａ／７０ｂおよび７２ａ／７２ｂを必要としないことがあり、また実際には、それを側方フラップ７６ａ／７６ｂおよび７８ａ／７８ｂのそれぞれの内面に固定してもよいことは明白である。
【００２４】
第２のブランクであるカバーブランク２０を図１Ｂに示す。このカバーブランク２０は、図１Ａのブランク１０から形成されたトレイ用のカバーを作るのに使用される。ブランク２０は、折り曲げ線３４ａ,３４ｂに沿って第１および第２の側壁１２,１４に対して折り曲げ可能に取り付けられた上面パネル２２を具備してなる。第１および第２の側壁１２,１４は、折り曲げ線３２ａおよび３２ｂを具備してなる。
【００２５】
一連の開口部５６は上面パネル２２から打ち抜き形成されており、しかも枠箱型カートン３０内に収容されることになる物品の上側部分を受け容れるよう構成されている。本発明のこの実施形態においては、枠箱型カートン３０はボトルの収容に適したものとなっており、しかも開口部５６はボトルのネックを受けるよう設計されている。この実施形態では、開口部５６は円形であり、しかもそのそれぞれの中心に向って突出するタブをさらに具備してなる。この突出するタブは、開口部５６内でのボトルのネック部の密着嵌め込み状態を実現するのに役立つであろう。これは、ボトルがダメージ(これは、ボトルが互いに衝突した場合に生じる)を受けるのを阻止するのに役立つであろう。本発明の他の実施形態では、開口部５６は円形でなくてもよく、しかも付加的タブを含んでいても含んでいなくてもよい。
【００２６】
上面パネル２２はさらに、一続きの低強度線すなわち刻線(切れ目)３７を具備してなり、この刻線３７は、各開口部５６と、少なくとも一つの他の開口部５６とをつないでいる。第１実施形態において刻線３７は、第１および第２の側壁１２,１４と直交する線上にて開口部５６同士の間で延在している。本発明の他の実施形態では、刻線３７の形態はここで説明したものと違っていてもよいことは明白であり、たとえば、刻線３７は隣接する開口部５６まで完全に延在していなくともよく、それは互いに交差していてもよく、そして刻線３７は上面パネル２２の縁部まで延在していてもよい。上面パネル２２はさらに、一連の接着用フラップ３６ａ／３６ｂおよび３８ａ／３８ｂを具備しており、これらフラップは、上面パネル２２をブランク１０からなるトレイに対して固定するのに用いられる。
【００２７】
トレイブランク１０およびカバーブランク２０からなる枠箱型カートン３０の組み立てに話題を転じると、一連の順次的な折り曲げおよび接着作業が必要である。好ましくは、当該作業は直線型装置において実施可能であり、これによって組み立てを成し遂げるために、ブランク１０,２０を回転させたり、ひっくり返したりする必要がなくなる。折り曲げプロセスは以下で説明するものに限定されず、特定の製造要件にしたがって変更可能である。
【００２８】
第１の段階では、内部ハンドルパネル２６を端壁パネル１６,１８の内面に対して固定し、かつ接着用フラップ７０ａ／７０ｂおよび７２ａ／７２ｂをコーナーパネル６６ａ／６６ｂおよび６８ａ／６８ｂの内面に対して固定する。端壁パネル１６,１８は続いて、底面パネル２４の面から、折り曲げ線４４および４８を中心として折り曲げ、これによってトレイを形成する。
【００２９】
続いてトレイには図１Ｃに示すようにボトルを装填し、そしてコーナーパネル６６ａ／６６ｂおよび６８ａ／６８ｂならびに側方フラップ７６ａ／７６ｂおよび７８ａ／７８ｂを、折り曲げ線９６ａ／９６ｂ,９８ａ／９８ｂ,８６ａ／８６ｂおよび８８ａ／８８ｂを中心として折り曲げる。底側端部フラップ７４ａ,７４ｂもまた、上記トレイの内側に向って折り曲げる。
【００３０】
枠箱型カートン３０の組み立てを完了させるための最終的な折り曲げおよび接着処理の用意に関して、カバーブランク２０は、図１Ｄに示すように、折り曲げ線３４ａ,３４ｂ,３２ａおよび３２ｂを中心として折り曲げる。側壁１２,１４は、上面パネル２２の面から、折り曲げ線３４ａおよび３４ｂを中心として９０°折り曲げる。続いては、第２の側壁１２,１４を折り曲げ線３２ａおよび３２ｂを中心として折り曲げ、第１および第２の側壁１２,１４の底側部分を、図１Ｄに示すように上面パネル２２の面内に戻す。
【００３１】
続いては、カバーブランク２０を上記トレイ内に装填されたボトルと揃える。第１および第２の側壁の上端部分は、側方フラップ７６ａ／７６ｂおよび７８ａ／７８ｂの内面のそれぞれとぴったり面接触した状態とし、そして接着剤あるいは従来公知のその他の手段を用いて一つに固定することになる。第１および第２の側壁１２,１４の底側部分は、折り曲げ線３２ａおよび３２ｂを中心としてさらに折り曲げ、これによって第１および第２の側壁の底側部分を、第１および第２の側壁１２,１４の上側部分ならびに側方フラップ７６ａ／７６ｂおよび７８ａ／７８ｂの外面のそれぞれとぴったり面接触した状態とする。このようにして、折り曲げ線３２ａおよび３２ｂは、枠箱型カートン３０の側壁の上縁部となる。やはり図１Ｅに示すように、接着剤あるいはその他の手段を用いて、第１および第２の側壁１２,１４の底側部分を、側方フラップ７６ａ／７６ｂおよび７８ａ／７８ｂの外面ならびに底側端部フラップ７４ａおよび７４ｂの外面に対して固定することができる。
【００３２】
このようにして、枠箱型カートンの側壁の２重上側部分を形成する。本発明の別な実施形態においては、第１および第２の側壁１２,１４に、この第１および第２の側壁１２,１４から打ち抜き形成されたハンドル開口部５４をさらに設けることができることも明白である。これによって、他の実施形態においては、本発明の範囲から逸脱することなく、組み立てられた枠箱型カートン３０のそれぞれの壁に２重ハンドル構造体を付与できる。
【００３３】
ブランク１０および２０から形成された枠箱型カートンを図１Ｆに示す。いったんブランク２０からなるカバーが、ブランク１０から組み立てられたトレイ内で固定されると、ボトルがカートン内で固定されることが分かる。刻線３７を破断(分断)することによってボトルを取り出すことが可能となるが、これは、枠箱型カートン３０からボトルを持ち上げることによって実現することができ、あるいは他の実施形態においては、刻線３７の破断を助けるために開封(initiating)手段を設けてもよいことは明らかである。
【００３４】
刻線３７を使用することにより、各ボトルを個別に手に取ることが可能となり、その一方で、カートンの構造的完全性(構造的に損傷を受けていない状態)は維持される。手を触れていないボトルは上記カバーの開口部５６によって適所で保持される。ゆえに、本カートンは融通の利く運搬容器を提供し、その構造的完全性はボトルを取り出した際にも損なわれない。これによって、空のボトルの都合のよい返却のためにカートンを再利用することが可能となる。
【００３５】
本発明の範囲内でさまざまな変更を施すことが可能であり、たとえば、上記パネルおよび開口部のサイズおよび形状を、異なるサイズまたは形状の物品を収容するために調整可能であることは明らかであろう。
【００３６】
図２Ａないし図２Ｄに本発明の第２実施形態を示すが、ここで単に実例として、この第２実施形態について説明する。これは、本発明の範囲から逸脱することなく施すことが可能な変更のいくつかを図示するものである。後続の図面において、類似の参照数字は同じ特徴部を指し示すのに用いているが、本発明の第２実施形態の参照数字は、それが第２実施形態の特徴部を表すことを示すために「２００」が付加されている。第２実施形態は第１実施形態と共通の特徴部を有するので、第２実施形態における差異のみを説明する。
【００３７】
本発明の第２実施形態においては、第１および第２の側壁１２,１４は折り曲げ線を備えておらず、しかもブランク２２０からなるカバーをブランク２１０からなるトレイ内に挿入したとき、上面壁パネル２２２の位置が調整可能であるようなサイズとすることができる。この機能に対応するため、側方フラップ２７６ａ／２７６ｂおよび２７８ａ／２７８ｂはまた、いったんトレイおよびカバーが枠箱型カートン２３０へと組み立てられると、上面パネル２２２が調整可能な高さを持つことを可能とするような寸法となっている。
【００３８】
枠箱型カートン２３０は、上述したような折り曲げならびに接着作業からなる類似の処理を実施することにより組み立てられる。だが、折り曲げ線３２ａおよび３２ｂを中心として第１および第２の側壁１２,１４を折り曲げる作業は、この実施形態においては必要としない。この第２実施形態は上記第１実施形態の特殊な例と考えることができ、ここでは折り曲げ線２３２ａ,２３２ｂは、折り曲げ線２３４ａ／２３４ｂに沿って配置される。組み立てプロセスの中間ステップを図２Ｃに示す。
【００３９】
本発明は、枠箱型カートンが二つのブランクから形成できるよう設計され、ここで、上面パネル２２,２２２の高さは、第１および第２の側壁１２,２１２,１４および２１４の底部の深さを変更することによって調整可能である。第１および第２の側壁１２,２１２,１４および２１４の底部の深さは、折り曲げ線３２ａ,３２ｂ,２３２ａおよび２３２ｂの位置ならびに第１および第２の側壁１２,２１２,１４および２１４のサイズによって画定される。
【００４０】
さらに本発明によれば、第１および第２の側壁１２,２１２,１４および２１４の上側縁部の高さを、端壁１６,１８,２１６および２１８の高さに対して調整可能とすることができる。第１および第２の側壁１２,２１２,１４および２１４の上側縁部はまた、折り曲げ線３２ａ,３２ｂ,２３２ａおよび２３２ｂの位置によって規定されるものと見なすこともできる。
【００４１】
本明細書で説明した、さまざまな実施形態の特徴部が本発明の範囲から逸脱することなく変更可能であることは明らかである。たとえば、本発明の他の実施形態において、上面パネル内に形成された開口部は円形でなくともよく、しかもカートン内に収容されたボトルのネック部または他の物品の保持を支援するために、開口部内に突出する付加的タブを備えていてもよい。
【００４２】
本明細書で使用しているように、方向的な用語、たとえば「上面」、「底面」、「前面」、「背面」、「端部」、「側部」、「内部」、「外部」、「上部」および「下部」は、各パネルをそうした向きに限定するものではなく、単に、これらのパネルを互いに区別しているに過ぎないことを理解されたい。折り曲げ可能な連結部についての言及を、単一の折り曲げ線のみを意味するものとして解釈すべきではない。実際、折り曲げ可能な連結部を、本発明の範囲から逸脱することなく、刻線、破断可能な線または折り曲げ線の一つ以上から形成できることは明らかである。
【図面の簡単な説明】
【００４３】
【図１Ａ】本発明の第１実施形態による枠箱型カートンを形成するためのブランクの第１の部分を示す図である。
【図１Ｂ】本発明の第１実施形態による枠箱型カートンを形成するためのブランクの第２の部分を示す図である。
【図１Ｃ】図１Ａおよび図１Ｂのブランクから形成される枠箱型カートンを組み立てるための手順における第１のステップを示す図である。
【図１Ｄ】図１Ａおよび図１Ｂのブランクから形成される枠箱型カートンを組み立てるための手順における第２のステップを示す図である。
【図１Ｅ】図１Ａおよび図１Ｂのブランクから形成される枠箱型カートンを組み立てるための手順における第３のステップを示す図である。
【図１Ｆ】図１Ａおよび図１Ｂのブランクから形成された枠箱型カートンを示す図である。
【図２Ａ】本発明の第２実施形態による枠箱型カートンを形成するためのブランクの第１の部分を示す図である。
【図２Ｂ】本発明の第２実施形態による枠箱型カートンを形成するためのブランクの第２の部分を示す図である。
【図２Ｃ】図２Ａおよび図２Ｂのブランクから枠箱型カートンを組み立てるための手順における一ステップを示す図である。
【図２Ｄ】図２Ａおよび図２Ｂのブランクから形成された枠箱型カートンを示す図である。
【符号の説明】
【００４４】
１０  ブランク
１２  第１の側壁
１４  第２の側壁
１６  第１の端壁
１８  第２の端壁
２０  ブランク
２２  上面パネル
２４  底面パネル
２６  内部ハンドルパネル
３０  枠箱型カートン
３２ａ,３２ｂ,３４ａ,３４ｂ  折り曲げ線
３６ａ,３６ｂ,３８ａ,３８ｂ  接着用フラップ
３７  刻線(低強度線)
４０,４２,４４,４８  折り曲げ線
５４  ハンドル開口部
５６  開口部
５８  指用把持タブ
６４ａ,６４ｂ  折り曲げ線
６６ａ,６６ｂ,６８ａ,６８ｂ  コーナーフラップ
７０ａ,７０ｂ,７２ａ,７２ｂ  接着用フラップ
７４ａ,７４ｂ  底側端部フラップ
７６ａ,７６ｂ,７８ａ,７８ｂ  側方フラップ
８６ａ,８６ｂ,８８ａ,８８ｂ  折り曲げ線
９６ａ,９６ｂ,９８ａ,９８ｂ  折り曲げ線
２１０  ブランク
２１２  第１の側壁
２１４  第２の側壁
２１６,２１８  端壁
２２０  ブランク
２２２  上面パネル
２３０  カートン
２３２ａ,２３２ｂ,２３４ａ,２３４ｂ  折り曲げ線
２７６ａ,２７６ｂ,２７８ａ,２７８ｂ  側方フラップ
【図１Ａ】
2008505809.tif 000003
【図１Ｂ】
2008505809.tif 000004
【図１Ｃ】
2008505809.tif 000005
【図１Ｄ】
2008505809.tif 000006
【図１Ｅ】
2008505809.tif 000007
【図１Ｆ】
2008505809.tif 000008
【図２Ａ】
2008505809.tif 000009
【図２Ｂ】
2008505809.tif 000010
【図２Ｃ】
2008505809.tif 000011
【図２Ｄ】
2008505809.tif 000012
【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
たとえばボトルのような、一群の類似の物品を収容するための二部分カートンであって、
この二部分カートンはトレイおよびカバーを具備してなり、
前記トレイは、第１のＵ字形構造体を形成する、カートンの底面壁および互いに向き合う端壁を提供するためのパネルを具備してなり、
前記カバーは、前記第１のＵ字形構造体に対して相補的な第２のＵ字形構造体を形成する、カートンの上面壁および下方に延在する互いに向き合う側壁を提供するためのパネルを具備してなり、
前記上面壁は前記端壁の上側縁部よりも低い高さに配置され、前記第１および第２のＵ字形構造体は協働で実質的に完全に取り囲まれたカートンを形成するようになっていることを特徴とする二部分カートン。
【請求項２】
前記上面パネルは、カートンの両端壁および／またはカートンの両側壁の上側端部よりも下方の高さに配置されていることを特徴とする請求項１に記載のカートン。
【請求項３】
一方のＵ字形構造体はフラップを具備してなり、このフラップは、他方のＵ字形構造体の前記側壁に対してサポートを提供すると共に、付加的に、それに対して他方のＵ字形構造体の前記側壁を固定することができる面を提供するようになっていることを特徴とする請求項１または請求項２に記載のカートン。
【請求項４】
カートンの前記上面パネルは、前記物品またはその一部分を受け容れるための開口部を具備してなり、各開口部は、前記物品の取り出しを容易にするために、少なくとも一つの他の開口部とつながった破断可能な接合部を有することを特徴とする請求項１ないし請求項３のいずれか１項に記載のカートン。
【請求項５】
カートンの前記側壁および端壁の一方から打ち抜き形成された、少なくとも一つの補強されたハンドル開口部をさらに具備してなることを特徴とする請求項１ないし請求項４のいずれか１項に記載のカートン。
【請求項６】
前記破断可能な接合部は、前記物品の取り出し時に、カートンが空の物品の返却に再使用するのに十分な構造的完全性を維持するよう配置構成されていることを特徴とする請求項４に記載のカートン。
【請求項７】
たとえばボトルのような、一群の類似の物品を収容する二部分カートンを形成するための二部分ブランクであって、
このブランクは、第１の部分と第２の部分とを具備してなり、
前記第１の部分は、第１のＵ字形構造体を形成するための、底面パネルと、互いに向き合う端壁とを具備してなるトレイを形成するためのものであって、
前記第２の部分は、前記第１のＵ字形構造体に対して相補的な第２のＵ字形構造体を形成するための、上面パネルと、互いに向き合う側壁とを具備してなるカバーを形成するためのものであって、
前記第１および第２のＵ字形構造体は、前記カートンが組み上がった状態にあるとき、互いに向き合う関係で配置され、かつ前記第２のＵ字形構造体は下方に延在する側壁を具備してなり、かつ前記上面パネルは前記端壁の上側縁部の高さよりも下方の高さに配置されるようになっていることを特徴とする二部分ブランク。
【請求項８】
前記第１の部分はフラップを具備してなり、前記フラップは、前記第２の部分の前記側壁に対するサポートを提供すると共に、付加的に、それに対して前記第２の部分の前記側壁を固定できる面を提供するようになっていることを特徴とする請求項７に記載のブランク。
【請求項９】
前記第２の部分の前記上面パネルは、前記カートンが組み上がった状態にあるとき、前記第１の部分の前記端壁の上側端部よりも下方の高さに存在することを特徴とする請求項７または請求項８に記載のブランク。
【請求項１０】
前記第２の部分の前記上面パネルは、前記物品またはその一部分を受け容れるための開口部を具備してなり、各開口部は、前記物品の取り出しを容易にするために、少なくとも一つの他の開口部とつながった破断可能な接合部を有することを特徴とする請求項７ないし請求項９のいずれか１項に記載のブランク。
【請求項１１】
請求項１ないし請求項６のいずれか１項に記載のカートンを形成するためのブランク。
【請求項１２】
互いに向き合う側壁と、互いに向き合う端壁と、上面パネルと、底面パネルと、を具備してなるカートンであって、前記上面パネルの面は、両端壁の上側縁部よりも低い位置にあり、かつカートンはさらに、前記端壁から打ち抜き形成されたハンドル開口部を具備してなることを特徴とするカートン。
【手続補正２】
【補正対象書類名】明細書
【補正対象項目名】０００６
【補正方法】変更
【補正の内容】
【０００６】
本発明の第１の様態によれば、二部分(ツーピース)カートンは、たとえばボトルのような、一群の類似の物品を収容するためのものであって、この二部分カートンはトレイおよびカバーを具備してなり、トレイは、第１のＵ字形構造体を形成する、カートンの底面壁および互いに向き合う端壁を提供するためのパネルを具備してなり、カバーは、第１のＵ字形構造体に対して相補的な第２のＵ字形構造体を形成する、カートンの上面壁および下方に延在する互いに向き合う側壁を提供するためのパネルを具備してなり、上面壁は端壁の上側縁部よりも低い高さに配置され、第１および第２のＵ字形構造体は協働で実質的に完全に取り囲まれたカートンを形成するようになっている。
【手続補正３】
【補正対象書類名】明細書
【補正対象項目名】０００７
【補正方法】変更
【補正の内容】
【０００７】
好ましくは、上面パネルは、カートンの両端壁および／またはカートンの両側壁の上側端部よりも低い高さに配置される。
【手続補正４】
【補正対象書類名】明細書
【補正対象項目名】０００８
【補正方法】変更
【補正の内容】
【０００８】
加えて、Ｕ字形構造体の一方はフラップを具備してなり、このフラップはＵ字形構造体の他方の側壁に対するサポートを、そして付加的に、それに対してＵ字形構造体の他方の側壁を固定可能な面を提供する。
【手続補正５】
【補正対象書類名】明細書
【補正対象項目名】０００９
【補正方法】変更
【補正の内容】
【０００９】
好ましくは、カートンの上面パネルは物品またはその一部分を受け容れるための(位置させるための)開口部(孔)を具備してなり、ここで、各開口部は、物品の取り出しを容易にするために、少なくとも一つの他の開口部とつながった破断可能な接合部を有する。
【手続補正６】
【補正対象書類名】明細書
【補正対象項目名】００１０
【補正方法】変更
【補正の内容】
【００１０】
好ましくはさらに、カートンの上記側壁および端壁の一つから打ち抜き形成された、少なくとも一つの補強されたハンドル開口部を具備してなる。
好ましくは、破断可能な接合部は、物品の取り出し時、本カートンが、それを空になった物品の返却に再利用するのに十分な構造的完全性(構造的に損傷を受けていない状態)を維持するよう配置構成される。
【手続補正７】
【補正対象書類名】明細書
【補正対象項目名】００１１
【補正方法】変更
【補正の内容】
【００１１】
本発明の第２の態様によれば、二部分ブランクは、たとえばボトルのような、一群の類似の物品を収容する二部分カートンを形成するためのものであって、このブランクは第１の部分と第２の部分とを具備してなり、第１の部分は、第１のＵ字形構造体を形成するための、底面パネルと、互いに向き合う端壁とを具備してなるトレイを形成するためのものであって、第２の部分は、第１のＵ字形構造体に対して相補的な第２のＵ字形構造体を形成するための、上面パネルと、互いに向き合う側壁とを具備してなるカバーを形成するためのものであって、第１および第２のＵ字形構造体は、カートンが組み上がった状態にあるとき互いに向き合う関係で配置され、かつ第２のＵ字形構造体は下方に延在する側壁を具備してなり、かつ上面パネルは端壁の上側縁部の高さよりも下方の高さに配置されるようになっている。
【手続補正８】
【補正対象書類名】明細書
【補正対象項目名】００１２
【補正方法】変更
【補正の内容】
【００１２】
好ましくは、第１の部分は、第２の部分の側壁に対するサポートと、付加的に、それに対して第２の部分の側壁を固定可能な面とを提供するためのフラップを具備してなる。
【手続補正９】
【補正対象書類名】明細書
【補正対象項目名】００１３
【補正方法】変更
【補正の内容】
【００１３】
好ましくは、第２の部分の上面パネルは、カートンが組み上がった状態にあるとき、第１の部分の端壁の上側端部よりも低い高さに存在する。
【手続補正１０】
【補正対象書類名】明細書
【補正対象項目名】００１４
【補正方法】変更
【補正の内容】
【００１４】
その上、第２の部分の上面パネルは、物品またはその一部分を受け容れるための開口部を具備してなり、各開口部は、物品の取り出しを容易にするため、少なくとも一つの他の開口部とつながった破断可能な接合部を有する。
【手続補正１１】
【補正対象書類名】明細書
【補正対象項目名】００１５
【補正方法】変更
【補正の内容】
【００１５】
本発明の第３の態様によれば、カートンは、互いに対向する側壁、互いに対向する端壁、上面パネルおよび底面パネルを具備してなり、上面パネルの面は両端壁の上側縁部よりも低い位置にあり、しかもカートンは端壁から打ち抜き形成されたハンドル開口部を、さらに具備してなる。
【手続補正１２】
【補正対象書類名】明細書
【補正対象項目名】００４３
【補正方法】変更
【補正の内容】
【００４３】
【図１Ａ】本発明の第１実施形態による枠箱型カートンを形成するための第１の部分を示す図である。
【図１Ｂ】本発明の第１実施形態による枠箱型カートンを形成するためのブランクの第２の部分を示す図である。
【図１Ｃ】図１Ａおよび図１Ｂのブランクから形成される枠箱型カートンを組み立てるための手順における第１のステップを示す図である。
【図１Ｄ】図１Ａおよび図１Ｂのブランクから形成される枠箱型カートンを組み立てるための手順における第２のステップを示す図である。
【図１Ｅ】図１Ａおよび図１Ｂのブランクから形成される枠箱型カートンを組み立てるための手順における第３のステップを示す図である。
【図１Ｆ】図１Ａおよび図１Ｂのブランクから形成された枠箱型カートンを示す図である。
【図２Ａ】本発明の第２実施形態による枠箱型カートンを形成するためのブランクの第１の部分を示す図である。
【図２Ｂ】本発明の第２実施形態による枠箱型カートンを形成するためのブランクの第２の部分を示す図である。
【図２Ｃ】図２Ａおよび図２Ｂのブランクから枠箱型カートンを組み立てるための手順における一ステップを示す図である。
【図２Ｄ】図２Ａおよび図２Ｂのブランクから形成された枠箱型カートンを示す図である。
【国際調査報告】
2008505809.tif 000013
2008505809.tif 000014
2008505809.tif 000015